(57)【要約】  子供のベッドは、可撓性材料によるサック（２０）を含み、前記サックは床上に設置される底（２３）を有しかつ矩形フレーム（１０）に連結された口部を有する。前記フレーム（１０）はフレーム部（１１）を含み、フレーム部（１１）は折り畳み取付具により相互に連結され、前記折り畳み取付具は、フレーム部（１１）の平行かつ重合関係への折り畳みを可能にする。前記フレーム（１０）は各コーナーに一つの斜め外方下方向へ傾斜する脚（１３）を有する。前記脚は、前記フレーム部の領域内にあるようにそれぞれのフレーム部（１１）の下側に対して折返し可能である。それぞれの脚（３）の自由端（１３１）は、子供のベッドの起立および折り畳みとの関係で、サック（２０）の展開および折り畳みを促進するためにサック（２０）の隣接底コーナー（２７）へ連結される。
2008543420.tif 000002
【特許請求の範囲】
【請求項１】
リング形フレーム（１０）、前記フレーム（１０）に連結された脚（１３）、および前記フレーム上に取付けた可撓性材料によるサック（２０）を含み、前記サックは前記フレーム（１０）に連結された開放縁部を有し、前記フレーム（１０）は二つの相互に対して回転可能に取付けたフレーム部（１１）を含み、そのフレーム部の近接分枝端は相互に折り畳み取付具（２）に連結され、折り畳み取付具（２）はフレーム部（１１）の、実質的共通面における第一端位置と、フレーム部（１１）が平行かつ重合する第二端位置間での折り畳みを可能にし、かつ各脚（１３）は前記フレームの付属取付部材（１２）に、前記フレーム（１０）を支持する第一端位置と、前記脚が前記フレーム部（１１）の平面に実質的平行に折り返される第二位置間での折り畳みを可能にするように、折り畳み可能に連結される子供のベッドにおいて、
前記フレーム（１０）は、各脚（１３）に一つの脚取付部材（１２）を有し、前記脚取付部材は円錐形であり、対応する円錐形面を有するそこへ連結された脚端を有し、かつバネ部材が前記脚端と前記脚取付部材とを軸方向へ一緒に引っ張って相互に対して連結するために設けられていることを特徴とする、子供のベッド。
【請求項２】
前記サックは底（２３）が床上に設置できるように形成され、起立した子供のベッドの脚は床上に設置され、かつ前記サックの底（２３）は、前記フレーム（１０）により支持される領域に実質的に対応する領域上に伸長する、請求項１の子供のベッド。
【請求項３】
前記サックの底に対応する底を有するマットレスが設けられ、かつ前記マットレスと前記サックの底（２３）との間に設置するための剛性底プレート（５１）が設けられている、請求項１または２の子供のベッド。
【請求項４】
前記底プレート（５１）は二つの平行に分離した縦筋（scoring lines)を有し、前記縦筋は前記底プレートの長手方向の中央領域に位置決めされ、かつ前記底プレートの長手方向に対して垂直に延びている、請求項３の子供のベッド。
【請求項５】
前記脚は、前記フレーム（１０）に操作可能に連結されたときに、前記フレーム（１０）の中央部上方で中央に位置決めされた共通点に向かって収斂し、前記脚部は鉛直に対して５−２５°、好ましくは略１５°の角度で傾斜する、請求項１から４のいずれか１の子供のベッド。
【請求項６】
前記バネ部材は前記脚を前記脚取付部材に対して軸方向へ付勢するように構成され、かつ前記脚取付部材および前記脚は、前記バネ部材に連結された可撓性中央要素により軸方向に結合されている、請求項１から５のいずれか１の子供のベッド。
【請求項７】
円錐形スリーブが管状脚部材の端に固定され、前記スリーブは外周面上にリセスを有し、かつ前記管状脚部材の壁は、前記脚部内に前記スリーブを軸方向に係止するために前記スリーブのリセスに係合するように変形している、請求項１から６のいずれか１の子供のベッド。
【請求項８】
前記フレーム（１０）の折り畳み取付具（２）は、前記フレーム部（１１）の前記脚取付部材（１２）が相互に対して対面する方向へ、前記フレーム部（１１）を相互に対して折り畳むことができるように構成されている、請求項１から７のいずれか１の子供のベッド。
【請求項９】
前記脚部の自由端は、底壁近くで前記サックの隣接位置に連結されている、請求項１から８のいずれか１の子供のベッド。
【請求項１０】
前記フレームは矩形であり、かつ支持脚部が前記フレームのそれぞれのコーナー領域に連結されている、請求項１から９のいずれか１の子供のベッド。
【請求項１１】
前記バネ部材により前記脚と前記脚取付部材との間に加わるバネ負荷は、前記脚が前記脚取付部材の方向へ接近するときに、前記脚と前記脚取付部材とを自動的に安定結合するように選択されている、請求項１から１０のいずれか１の子供のベッド。
【請求項１２】
前記サックの口部は、前記サックの外側に対して前記フレームの周りに折り畳まれ、かつ前記フレームのコーナー領域を除いて、それぞれのフレーム片に沿って前記サックの外側に対して取付けられ、かつそれぞれのフレームサイドに沿った結合はジッパーで構成されている、請求項１から１１のいずれか１の子供のベッド。
【請求項１３】
前記折り畳み取付具（２）は二つの相互に同一の蝶番要素（１，１’）を含み、前記蝶番要素は、蝶番要素の平面に直角の共通の中央ピボット軸の周りに回転可能に配置され、前記蝶番要素（１，１’）は軸方向のバネ負荷を受け（７）て、相互に対して平行に表面で当接し、かつ前記蝶番要素（１，１’）は、軸（６）から所定距離をおいて各々が配設されかつ周辺方向へ延びた開口を有し、かつ前記開口に隣接し周辺方向に追従して平面から突出した突出部を有し、前記突出部の二端は蝶番要素の開口に連結され、前記取付具の端位置において相互に対して当接し、前記フレーム部は共通面内で折り返される、請求項１から１２のいずれか１の子供のベッド。
【発明の詳細な説明】
【技術分野】
【０００１】
本発明は、請求項１の導入部に記載の種類の子供のベッドに関する。
【背景技術】
【０００２】
運搬可能な性質を有する子供のベッドは、取外し状態において占領するスペースを小さくするために取外し可能でなければならない。更に、子供のベッドは軽量かつ取外しおよび組立てのそれぞれが容易でなければならない。
【０００３】
この関係で、子供のベッドはリング形フレームを含み、リング形フレームは取外し可能脚部によって地面上所定距離に担持され、かつベッド底を担持し、前記ベッド底は、小さい子供がベッドを脱出するのを防止するために、ベッド底から相当の距離をおいてフレームへ連結された可撓性側壁を有する。
【発明の開示】
【発明が解決しようとする課題】
【０００４】
従って、本発明の課題は、全体的または部分的に上記要求の一つ以上に合致する上述種類の子供のベッドを更に改良することにある。
【課題を解決するための手段】
【０００５】
上記課題は本発明により達成される。
【０００６】
本発明は特許請求の範囲の請求項１に記載されている。
【０００７】
本発明の実施形態は従属請求項に記載されている。
【発明を実施するための最良の形態】
【０００８】
次に、添付図面を参照して本発明を説明する。
【０００９】
図１は、平面的な矩形フレーム１０を示し、フレーム１０は、相互に同一の二つの概ねＵ形フレーム部１１を含み、フレーム部１１は折り畳み取付具２を介して相互に連結され、折り畳み取付具１は、フレーム部１１による平行重合状態への折り畳みを可能にする。フレーム１０の各コーナーに、脚取付部材１２があり、脚１３は取外し可能にそこへ取付けられ、脚取付部材１２から平面的地面（床）から、フレーム１０を、フレームコーナーを通る鉛直平面に対して地面に平行に担持し、かつ脚１３は取付け部１２を通る鉛直に対して略１５°の角度で斜め下方へ傾斜する。
【００１０】
フレーム１０はサック２０の形態で形成された可撓性材料によるベッド構造を担持する。このサックは底２３および側壁２１を有し、底２３は床／地面上に当接し、かつ側壁２１はフレーム１０に対して上方へ伸長し、かつフレーム１０に連結される。側壁２１は、通常、不透明布帛による下部２１Ａ、および透明材料、例えばネット材料による上部２１Ｂを有する。サック２０の上縁部は内側から外方へ折り畳まれ、折り畳んだ縁部はジッパー２４等の締結部材によりフレーム１０のそれぞれの側部に沿って側壁２１の上部へ連結される。サックの折り畳み部はフレームのコーナー周囲に延在するが、締結要素２４はフレームコーナーの周囲に伸長しない。
【００１１】
好適実施形態において、取付具２は二つの相互に同一のフラットシート状金属要素を含んでよく、シート状金属要素は、円形主部とそれに対して接線方向に突出したシャンクを有し、シャンクはそれぞれのフレーム部１１の端へ固定される。二つの相互に同一のシート状金属部１，１’は平面で相互に対して当接し、かつピボット軸６に連結され、ピボット軸は各端にヘッド６１を有する。取付具の各側部のバネ７は、二つの要素１，１’と接触維持され、通常は相互に対して当接する面において二つの要素１，１’を保持する。フレーム部１１の分枝端を保持するために、図１の状態において、フレーム部１１の両端は相互に対して軸方向へ向けられかつ図１においてフレームの連結点が下方へ降下するのを防止し、各要素１，１’は開口３，３、および開口３，３の周辺方向で結合する皿穴４，４’を有する。二つの要素１，１’の皿穴４，４’は、開口４，４’の隣接開口縁３１，３１’内で端−端が合致する。皿穴が形成された変形部４，４’が反対開口縁で円弧であることから、皿穴部４，４’は、取付具２が図１による状態に対して取付具２が上方へ上昇する、そのような方向へ折り畳まれるときに、それぞれの開口から外へ摺動する。そのようにして、要素１’はバネ要素７の運動に対して軸６の方向へ分離する。図３において、二つの係止装置は、対の要素１’の直径方向に対峙する領域に設置される。
【００１２】
脚１３は、折り畳みを安定展開した状態から、フレーム７１０に対して、それぞれのフレーム部１１の平面近くの下降位置へ、折り畳み可能に構成されるべきである。この関係で、脚１３は、ピボット軸を有し、かつ相互に対して連結された蝶番部１０３、１０４を有する蝶番装置１０２によりフレーム１１へ連結されてよい。脚１３が、フレームの中央部上方点へ向かう上方の方向において相互に向かって収斂することにより、脚１３のブロックはベッドの起立状態において必要とされないが、安全性確保からブロックすることが好適である。
【００１３】
図５は、脚１３とそれに連結されるフレーム部１１の取付部材１２との間の連結を示す。取付部材１２は金属スリーブ形態であり、自由外端へ向かって円錐形に傾斜し、かつ係合する脚１３の端部は対応する円錐形スリーブ１５を受け、円錐形スリーブは端フランジ１５’により脚の端に当接する。スリーブ１５は、反対端フランジを有し、反対端フランジは管１３の内周に当接する。スリーブは外周内にリセスを有し、かつ管壁内の刻み目１４により管端に固定され、刻み目１４はスリーブの外部リセスに係合する。図５において、引き要素１６はフレーム要素１１または取付部材１２に固定され、かつ取付部材１２へ伸長し、かつ取付部材１２の自由端外側に折れ曲がり部を有する。引き要素１６の折れ曲がり端において引き棒１７の折れ曲がりフックまたはループが係合し、引き棒１７は管１３へ伸長しかつねじ圧縮バネ１８により包囲されている。引き棒１７の反対端は折れ曲がり、かつ円形ワッシャ１９へ伸長し、円形ワッシャ１９の直径は管１３の直径よりも若干小さく、かつそれによりバネ１８の内端に対するサポートを提供する。バネ１８の外端はスリーブ１５の内端フランジ１５２に対して当接する。図５による状態において、バネ１８は圧縮されかつ管１３および取付部材１２を共に引っ張ることを目的とする。管１３を小さく折り畳んだ上で（図５の上方）、バネ１８はスリーブ１５と共に脚の端を下へ、円錐形管状取付部材１２上から引っ張り相互に安定した係合にすることを目的とする。円錐形形態により、長く安定した軸係合長手が、スリーブと取付部材１２間に提供され、かつその結合は軸方向の分離により更に簡単に解除される。
【００１４】
図１および２から理解されるように、脚１３の自由端部１３１は連結要素７０、例えば可撓性バンド形態によりサックのそれぞれの隣接底コーナー２７へ連結される。
【００１５】
図２において、剛性板５１はサック２０の底２３上の頂面上に設置され、かつマットレス５０、例えばフォームプラスチックプレートがその上に載置される。
【００１６】
図１によるベッドは、マットレス５０およびプレート５１をサック２０から取り除くことにより容易に折り畳むことができる状態になっている。プレート５１は二つの平行に離隔した縦筋(scoring lines)５２をプレート５１の長手中央領域に有する。図１によるベッドは、地面上に下側を下にして設置さ、その後に脚１３がそれぞれのフレーム部１１上に折り返され、その後にフレーム部１１が取付具２内で回転することにより相互方向へ折り返される。次に、サック２０と共に分解したフレームは、二重にしたマットレス５０内に設置され、かつプレート５１は図７に示されたようにマットレス５０の外側で二重状態で設置され、その後にそのようにして一緒にされた平行六面形ベッドパッケージを、適合する平行六面形バッグ９１内に設置される。バッグ９１は、運搬ハンドル９２を有する。当然ながら、バッグ９１はジッパー閉鎖具を含むカバーを有していてよい。
【００１７】
図７の折り畳み状態から図１の状態にベッドを起立させるために、折り畳んだフレーム１０を取り出し、かつフレーム部１１により垂直配向し、かつ取付具２により上方へ配向し、その後に操作員はフレームの短い両端の各々を握りかつフレーム部１１を回転し分離する。そのようにして、脚１３は、バネ１８の衝撃下で、取付部材１２に対して整合位置へ展開し、取付部材に安定係合する。サックの上縁がフレーム１０へ取付けられかつサックの底コーナー２７が縁７０により脚１３の自由両端へ取付けられるので、子供のベッドは直ちに自動的に図１の状態になり、かつ床上に設置できる。プレート５１内に可能であればマットレス５０を設置後に、ベッドは使用可能状態になる。
【図面の簡単な説明】
【００１８】
【図１】子供のベッドを示す概略斜視図である。
【図２】図１のＩＩ−ＩＩ線に沿った断面概略図である。
【図３】ベッドフレームの折り畳み取付具の側面図を示す。
【図４】図３のＩＶ−ＩＶ線に沿った断面概略図である。
【図５】支持脚部および支持脚部のフレームへの連結を示す軸方向断面概略図である。
【図６】フレームの平面に下降した脚と共にフレームの平面を示す概略図である。
【図７】畳んだ状態で運搬ハンドルを有する平行六面形バッグ内に挿入した図１のベッドを示す。
【図１】
2008543420.tif 000003
【図２】
2008543420.tif 000004
【図３】
2008543420.tif 000005
【図４】
2008543420.tif 000006
【図５】
2008543420.tif 000007
【図６】
2008543420.tif 000008
【図７】
2008543420.tif 000009
【国際調査報告】
2008543420.tif 000010
2008543420.tif 000011
2008543420.tif 000012